(57)【要約】【課題】見栄えを害したり誤解を招くロック解除孔を不要となした固定クリップの提供。【解決手段】第１パネル材に第２パネル材を固定する断面Ｓ字状の固定クリップであって、第１パネル材の端部を嵌め込む第１嵌合部１Ａと、第２パネル材の端部を嵌め込む第２嵌合部１Ｂとを備え、該各嵌合部を画成する共通の基板２に、第１嵌合部と第２嵌合部の内側に突出して上記第１パネル材の通孔に係止する第１ロック片７と第２パネル材の通孔に係止する第２ロック片８とを薄肉部９を介して設けて、該各ロック片を対応する嵌合部の奥側に向かって延在させると共に、第１嵌合部に第１パネル材の端部を嵌め込んだ状態では、基板の反対側の第１嵌合部の壁面と第１パネル材間に工具差込用隙間４が存在することにより、該隙間内に工具の先端を差し込むだけで、第１パネル材と第２パネル材と固定クリップ自体とを取り外せる。【選択図】          図２
2005024006.tif 000002
【特許請求の範囲】
【請求項１】
第１パネル材に第２パネル材を固定する断面Ｓ字状の固定クリップであって、第１パネル材の通孔付き端部を嵌め込むＵ字状の第１嵌合部と、第２パネル材の通孔付き端部を嵌め込むＵ字状の第２嵌合部とを備え、該各嵌合部のＵ字形状を画成する共通の基板に、第１嵌合部と第２嵌合部の内側に突出して上記第１パネル材の通孔に係止する第１ロック片と第２パネル材の通孔に係止する第２ロック片とを薄肉部を介して一体的に設けて、該各ロック片を対応する嵌合部の奥側に向かって延在させると共に、第１嵌合部に第１パネル材の端部を嵌め込んだ状態では、基板の反対側の第１嵌合部の壁面と第１パネル材間に工具差込用隙間が存在することを特徴とする固定クリップ。
【請求項２】
第１嵌合部の内側で且つ基板と反対側の壁面には、工具差込用隙間の終端に工具の先端位置を規制するストッパー壁が形成されていることを特徴とする請求項１記載の固定クリップ。
【請求項３】
少なくとも、第１嵌合部の基板と反対側の壁面の開口縁を凹状となしたことを特徴とする請求項１乃至請求項２のいずれかに記載の固定クリップ。
【請求項４】
第２嵌合部の内側に突出する第２ロック片の先端に抜け止め用のテーパー面を形成したことを特徴とする請求項１乃至請求項３のいずれかに記載の固定クリップ。
【発明の詳細な説明】
【０００１】
【発明の属する技術分野】
本発明は、例えば、自動車のフェンダープロテクタをフェンダーパネルに固定する場合のように、通孔付き端部を有する２枚のパネル材同士を締結固定する固定クリップの改良に関するものである。
【０００２】
【従来の技術】
従来のこの種固定クリップは、具体的には図示しないが、合成樹脂の一体成形品で、全体が断面Ｓ字状を呈し、その共通する基板の中央部に貫通孔を形成して、該貫通孔内に上下方向に突出するブロック状のロック体を弾性変形可能な連結片を介して一体的に設ける一方、基板に一定の間隔をおいて平行に連設される上板と下板に、上記ロック体が臨むロック解除孔を個々に形成する構成となっている（例えば、特許文献１参照）。
【０００３】
依って、斯かる従来の固定クリップを用いて、フェンダープロテクタをフェンダーパネルに固定する場合には、まず、固定クリップの基板と上板間にフェンダーパネルの端部を差し込むと、一旦、上記ロック体が連結片を介して下方に押し下げられて、ロック体とフェンダーパネルの端部に形成されている通孔とが一致した時点で、ロック体が原位置に復帰して当該通孔に係止するので、これにより、固定クリップがフェンダーパネル側に取り付けられる。
【０００４】
次いで、基板と下板間にフェンダープロテクタの端部を差し込むと、今度は、ロック体が連結片を介して上方に押し上げられて、同様に、ロック体とフェンダープロテクタの端部に形成されている通孔とが一致した時点で、ロック体が原位置に復帰して当該通孔に係止するので、これにより、フェンダープロテクタがフェンダーパネル側に固定されることとなる。
【０００５】
又、フェンダープロテクタとフェンダーパネルとの固定状態を解除する場合や、フェンダーパネルと固定クリップとの取付状態を解除する場合には、上記した上板と下板の各々に形成されているロック解除孔内に工具を通して、ロック体を下方に押し下げたり上方に押し上げると、各通孔からロック体が外れるので、その固定状態や取付状態を解除することが可能となる。
【０００６】
【特許文献１】
特開２００２−１９５２２３号公報
【０００７】
【発明が解決しようとする課題】
従って、従来の固定クリップにあっては、上板と下板に個々に形成されているロック解除孔を利用して、フェンダープロテクタとフェンダーパネルとの固定状態を解除したり、フェンダーパネルと固定クリップとの取付状態を解除できる利点を有するものであるが、反面、フェンダープロテクタのフェンダーパネルに対する固定状態にあって、フェンダーパネルの下側から覗き込むと、上記いずれか一方のロック解除孔が必ず見えてしまうので、見栄えが悪かった。
【０００８】
又、車体組付現場などにおいては、この露呈するロック解除孔の存在が組付未了と誤解されて、不良品であると判断されたり、或いは、当該ロック解除孔にボルト等を無理矢理捩じ込んで、固定クリップ自体を破損してしまう恐れも十分に考えられる。
【０００９】
【課題を解決するための手段】
本発明は、斯かる従来の固定クリップが抱える課題を有効に解決するために開発されたもので、請求項１記載の発明は、第１パネル材に第２パネル材を固定する断面Ｓ字状の固定クリップであって、第１パネル材の通孔付き端部を嵌め込むＵ字状の第１嵌合部と、第２パネル材の通孔付き端部を嵌め込むＵ字状の第２嵌合部とを備え、該各嵌合部のＵ字形状を画成する共通の基板に、第１嵌合部と第２嵌合部の内側に突出して上記第１パネル材の通孔に係止する第１ロック片と第２パネル材の通孔に係止する第２ロック片とを薄肉部を介して一体的に設けて、該各ロック片を対応する嵌合部の奥側に向かって延在させると共に、第１嵌合部に第１パネル材の端部を嵌め込んだ状態では、基板の反対側の第１嵌合部の壁面と第１パネル材間に工具差込用隙間が存在する構成を採用した。
【００１０】
請求項２記載の発明は、請求項１を前提として、第１嵌合部の内側で且つ基板と反対側の壁面には、工具差込用隙間の終端に工具の先端位置を規制するストッパー壁が形成されている構成を採用した。
【００１１】
請求項３記載の発明は、請求項１乃至請求項２を前提として、少なくとも、第１嵌合部の基板と反対側の壁面の開口縁を凹状となす構成を採用した。
【００１２】
請求項４記載の発明は、請求項１乃至請求項３を前提として、第２嵌合部の内側に突出する第２ロック片の先端に抜け止め用のテーパー面を形成する構成を採用した。
【００１３】
依って、請求項１記載の発明にあっては、第１パネル材に第２パネル材を固定した状態の下では、第１嵌合部の基板の反対側の壁面と第１パネル材との間に工具差込用隙間が存在する関係で、当該隙間内に工具の先端を差し込んで、第１ロック片を薄肉部を介して押し上げると、第１ロック片の第１パネル材の通孔に対する係止が外れるので、これにより、第１パネル材と第２パネル材の固定状態が解除され、次いで、同様に、上記隙間内に工具の先端部を差し込んで、今度は、第１ロック片を強く押し上げると、第１ロック片の変形と連動して第２ロック片が押し下げられて、第２ロック片の第２パネル材の通孔に対する係止が外れるので、これにより、第２パネル材と固定クリップの取付状態が解除されることとなる。従って、従来のようなロック解除孔を形成する必要が全くなくなるので、見栄えが悪くなったり、組付未了と誤解されることが一挙に解決できる。
【００１４】
請求項２記載の発明にあっては、工具差込用隙間の終端にストッパー壁が形成されている関係で、工具先端を隙間に差し込む際には、工具の先端位置が規制されるので、常に、第１ロック片を確実に押し上げることが可能となる。請求項３記載の発明にあっては、第１嵌合部の基板の反対側の壁面の開口縁側が凹状となっている関係で、工具差込用隙間に工具の先端を容易に差し込むことが可能となる。請求項４記載の発明にあっては、第２ロック片の先端に抜け止め用のテーパー面を形成した関係で、第２嵌合部に第２パネル材の端部を嵌め込んだ状態では、第２ロック片が第２パネル材の通孔に係止している訳であるが、斯かる状態で、第２パネル材に抜け力が加わると、第２ロック片のテーパー面と通孔の孔縁の摺接作用で、第２ロック片が上方に持ち上げられるので、これにより、第２パネル材の係止が強固となる。
【００１５】
【発明の実施の形態】
以下、本発明を図示する好適な実施の形態に基づいて詳述すれば、該実施の形態に係る固定クリップも、自動車のフェンダーパネルにフェンダープロテクタを固定するクリップとして開発されたもので、図１に示す如く、全体が断面Ｓ字状に合成樹脂で一体成形されて、フェンダーパネルの通孔付き端部を嵌め込む横Ｕ字状の第１嵌合部１Ａと、フェンダープロテクタの通孔付き端部を嵌め込む横Ｕ字状の第２嵌合部１Ｂとを備える構成となっている。
【００１６】
そして、前者の第１嵌合部１Ａは、共通する基板２と該基板２の一端側から一定の間隔をおいて平行に折り返される下板３とから成り、下板３の内壁面の中央部にその開口縁側から凹状を呈する工具差込用隙間４を連続して形成すると共に、該工具差込用隙間４の終端に工具の先端位置を規制するストッパー壁５を起立状に形成する構成となっている。尚、基板２と下板３の周縁は半袋状に連接されている。又、後者の第２嵌合部１Ｂは、同じく、共通する基板２と該基板２の他端側から一定の間隔をおいて平行に折り返される上板６とから成る。
【００１７】
そして、本実施の形態にあっては、斯かる構成を前提として、特に、図２に示す如く、上記各嵌合部１Ａ・１Ｂの横Ｕ字形状を画成する共通の基板２に、第１嵌合部１Ａと第２嵌合部１Ｂの内側に突出して、フェンダーパネルの通孔に係止する第１ロック片７とフェンダープロテクタの通孔に係止する第２ロック片８とを薄肉部９を介して一体的に設けると共に、該各ロック片７・８を対応する嵌合部１Ａ・１Ｂの奥側に向かって傾斜して延在させる構成を採用している。又、特に、フェンダープロテクタの通孔と係止する第２ロック片８に関しては、その先端に下から上に向かって傾斜する抜け止め用のテーパー面８ａを形成するものとする。
【００１８】
依って、本実施の形態に係る固定クリップを用いて、フェンダーパネル１０にフェンダープロテクタ１２を固定する場合には、まず、フェンダープロテクタ１２の通孔１３付き端部１２ａを第２嵌合部１Ｂの内側に嵌め込むと、第２ロック片８が薄肉部９を介して基板２側に変形するので、これによるガイドを得て、フェンダープロテクタ１２の端部１２ａがスムーズに嵌め込まれて、第２ロック片８の抜け止め用のテーパー面８ａが端部通孔１３に係止することとなるので、これにより、図３に示す如く、固定クリップが抜け外れることなくフェンダープロテクタ１２側に簡単且つ確実に取り付けられることとなる。
【００１９】
そこで、今度は、フェンダーパネル１０の通孔１１付き端部１０ａを第１嵌合部１Ａの内側に逆方向から嵌め込むと、やはり、第１ロック片７が薄肉部９を介して基板２側に変形するので、これによるガイドを得て、フェンダーパネル１０の端部１０ａもスムーズに嵌め込まれて、第１ロック片７が端部通孔１１に係止するので、これにより、図４に示す如く、フェンダープロテクタ１２がフェンダーパネル１０に確実に固定されることとなる。尚、この場合には、図示する如く、フェンダーパネル１０と下板３の内壁面間に凹状を呈する工具差込用隙間４が連続して存在することとなる。
【００２０】
そして、このフェンダープロテクタ１２がフェンダーパネル１０側に固定された状態において、自動車の走行中に、フェンダープロテクタ１２側に水圧等の抜け力が加わると、第２ロック片８のテーパー面８ａとフェンダープロテクタ１２の通孔１３孔縁の摺接作用で、第２ロック片８が上方に持ち上がるように付勢されるので、これにより、フェンダープロテクタ１２の係止が強固となって、フェンダープロテクタ１２が固定クリップから抜け落ちる心配がない。
【００２１】
又、固定後に、フェンダーパネル１０から固定クリップを取り外す場合には、既述した如く、第１嵌合部１Ａの下板３とフェンダーパネル１０との間に工具差込用隙間４が存在する関係で、図５に示す如く、この隙間４内にマイナスドライバー等の工具の先端１４を差し込んで、第１ロック片７を薄肉部９を介して強制的に変形させながら押し上げると、第１ロック片７のフェンダーパネル１０の端部通孔１１に対する係止が外れるので、後は、フェンダーパネル１０の端部１０ａから固定クリップを引き抜けば、これにより、フェンダーパネル１０から固定クリップをフェンダープロテクタ１２と一緒に簡単に取り外すことが可能となる。
【００２２】
尚、この場合には、工具の先端１４を差込用隙間４内に差し込む時には、当該差込用隙間４が開口縁側から凹状を呈しているので、その差し込みが容易となることは言うまでもないが、特に、差込用隙間４の終端にストッパー壁５が形成されているので、工具の先端１４を隙間４に差し込む際には、これにより、工具の先端１４の位置が正確に規制されるので、常に、第１ロック片７を確実に押し上げることが可能となる。
【００２３】
次に、フェンダープロテクタ１２から固定クリップ自体を取り外す場合には、第１嵌合部１Ａの内側にはフェンダーパネル１０は既に存在しない訳であるが、この状態を利用して、同様に、工具の先端１４が上記ストッパー壁５に衝突するまで、差込用隙間４内に工具の先端１４を差し込んで、今度は、第１ロック片７を強く強制的に押し上げると、図６に示す如く、基板２が押し上げられて変形し、これに伴い、第２ロック片８が押し下げられて、第２ロック片８のフェンダープロテクタ１２の端部通孔１３に対する係止が外れるので、後は、フェンダープロテクタ１２の端部１２ａから固定クリップを引き抜けば、これにより、フェンダープロテクタ１２と固定クリップの取付状態が速やかに解除されることとなる。
【００２４】
従って、本実施の形態にあっては、従来のような見栄えを害したり誤解を招くロック解除孔を上板６や下板３に形成しなくとも、フェンダープロテクタ１２とフェンダーパネル１０の固定状態を容易に解除したり、フェンダープロテクタ１２と固定クリップの取付状態を容易に解除することが可能となるので、これにより、従来の課題を一挙に解決できる訳である。
【００２５】
【発明の効果】
以上の如く、本発明は、上記構成の採用により、第１パネル材に第２パネル材を固定した状態の下では、第１嵌合部の基板の反対側の壁面と第１パネル材との間に工具差込用隙間が存在する関係で、当該隙間内に工具の先端を差し込んで、第１ロック片を薄肉部を介して押し上げると、第１ロック片の第１パネル材の通孔に対する係止が外れるので、これにより、第１パネル材と第２パネル材の固定状態が解除され、次いで、同様に、上記隙間内に工具の先端を差し込んで、今度は、第１ロック片を強く押し上げると、第１ロック片の変形と連動して第２ロック片が押し下げられて、第２ロック片の第２パネル材の通孔に対する係止が外れるので、これにより、第２パネル材と固定クリップの取付状態が解除されることとなる。従って、従来のようなロック解除孔を形成する必要が全くなくなるので、見栄えが悪くなったり、組付未了と誤解されることが一挙に解決できる。
【図面の簡単な説明】
【図１】（Ａ）は本発明の実施の形態に係る固定クリップの正面図、（Ｂ）は同平面図、（Ｃ）は同底面図、（Ｄ）は同側面図である。
【図２】図１ＢのＡ−Ａ線断面図である。
【図３】フェンダープロテクタに固定クリップを取り付けた状態を示す断面図である。
【図４】フェンダーパネルにフェンダープロテクタを固定した状態を示す断面図である。
【図５】フェンダーパネルから固定クリップを取り外す状態を示す断面図である。
【図６】フェンダープロテクタから固定クリップを取り外す状態を示す断面図である。
【符号の説明】
１Ａ    第１嵌合部
１Ｂ    第２嵌合部
２      基板
３      下板
４      工具差込用隙間
５      ストッパー壁
６      上板
７      第１ロック片
８      第２ロック片
８ａ    テーパー面
９      薄肉部
１０    フェンダーパネル（第１パネル材）
１０ａ  端部
１１    通孔
１２    フェンダープロテクタ（第２パネル材）
１２ａ  端部
１３    通孔
１４    工具の先端
【図１】
2005024006.tif 000003
【図２】
2005024006.tif 000004
【図３】
2005024006.tif 000005
【図４】
2005024006.tif 000006
【図５】
2005024006.tif 000007
【図６】
2005024006.tif 000008